(57)【要約】      （修正有）【課題】液晶モニタ−付き光学機器の使用者が，液晶モニタ−面の汚れや傷を防ぐため，さらに，撮影に際して，被写体の構図の決定並びに水平方向，垂直方向の位置の確認を，的確，迅速，簡単，かつ快適にできるようにする。【解決手段】（１）液晶モニタ−の外枠の外周部の外側部分の左右及び上下の同一位置に，同一線分（外付け格子線）を設ける。（２）上記、外付け格子線を印刷あるいは刻みこんだ透明な樹脂製からなるシ−ル式フレ−ムを、液晶モニタ−の外枠に予め貼りつけておく。（３）このフレ−ムには，液晶モニタ−上の樹脂板において，上記外付け格子線を内部方向に延長した場合，交わるであろう交差点に，「＋」や「・」印の交差点表示印を予め印刷あるいは刻みこんでおく。（４）液晶モニタ−付き光学機器の利用者は，予め液晶モニタ−に貼りつけたフレ−ムを使用し，彼写体の構図を行うとともに，水平方向，垂直方向の位置の確認を行う。【選択図】図１
2005275330.tif 000002
【特許請求の範囲】
【請求項１】
液晶モニタ−付き光学機器の，四角形の液晶モニタ−の外周部に貼りつけ可能な，透明な樹脂板からなる，四辺形のシ−ル式フレ−ムであることを特徴とする。
【請求項２】
前記のシ−ル式フレ−ムの内枠は，液晶モニタ−の外枠より同等以上の大きさを有し，四辺形の内枠の四辺から外側方向に向かい，各辺に２つずつ設けられている線分（外付け格子線）であることを特徴とする。
【請求項３】
前記のシ−ル式フレ−ムは，四辺形の中心線に対して，左右対称，上下対称に設けた線分（外付け格子線）を，印刷あるいは刻み込まれていることを特徴とする。
【請求項４】
前記のシ−ル式フレ−ムは，液晶モニタ−上の樹脂板において，左右，上下の線分（外付け格子線）を内部方向に延長したとした場合，交わるであろう交差点に，「＋」印や「・」印を予め印刷あるいは刻みこむことにより，線分（外付け格子線）と一体となって，液晶モニタ−の格子線の役割を担うことを特徴とする。
【発明の詳細な説明】
【技術分野】
【０００１】  この発明は，液晶モニタ−付き光学機器（デジタルカメラ，デジタルビデオカメラ，カメラ機能付携帯電話）を対象に，液晶モニタ−のモニタ−面の保護並びに構図決定及び水平・垂直方向位置確認を目的とした，左右，上下対称の２対の線分（外付け格子線）と交差点表示印を設け，液晶モニタ−の外枠部分に貼りつける，透明な樹脂板からなるシ−ル式フレ−ムに関するものである。
【背景技術】
【０００２】  従来，液晶モニタ−付き光学機器を対象に，液晶モニタ−面の保護や構図決定及び水平・垂直方向位置確認を目的として線分（外付け格子線）を設けたシ−ル式フレ−ムはなかった。
液晶モニタ−上に格子線や方眼スクリ−ンを設ける方法はあった。
【発明が解決しようとする課題】
【０００３】  これは，次のような問題点があった。
（１）液晶モニタ−付き光学機器の液晶モニタ−面は，ガラス製で，汚れや傷がつきやすい。
（２）液晶モニタ−付き光学機器の利用者は，撮影に際して，液晶モニタ−上の画面を見ながら，経験と勘により，構図の決定並びに水平及び垂直方向の位置の確認を行うが，モニタ−の画面が広いため，構図の決定及び水平，垂直方向の位置確認に時間がかかり，折角のシャッタ−チャンスを逃すことが多い。
（３）撮影後の映像をみてみると，水平又は垂直方向の位置が曲がっていることが多い。
本発明は，以上のような欠点をなくすためになされたものである。
【課題を解決するための手段】
【０００４】  液晶モニタ−付き光学機器の液晶モニタ−面を保護すること，並びに撮影者が，撮影に際し，被写体の構図の決定並びに水平及び垂直方向の位置の確認を容易にできるようにすることを目的とした，透明な樹脂製からなり液晶モニタ−の外周部に貼りつけることが可能な，次のようなシ−ル式フレ−ムを用意する。
（１）このフレ−ムの内枠は，液晶モニタ−の外枠より同等以上の大きさを有し，四辺形の内枠の四辺から外側方向に向かい，各辺に２つずつ線分（外付け格子線）を設ける。
（２）このフレ−ムには，四辺形の中心線に対して，左右対称，上下対称に，線分（外付け格子線）を，印刷あるいは刻みこむことにより設ける。
（３）このフレ−ムには，液晶モニタ−上の樹脂板において，左右，上下の線分（外付け格子線）を，内部方向に延長したとした場合，交わるであろう交差点に，「＋」印や「・」印を予め印刷あるいは刻みこむことにより，線分（外付け格子線）と一体となって，液晶モニタ−の格子線の役割を担わせる。
本発明は，以上の構成よりなる，線分（外付け格子線）を設けたシ−ル式フレ−ムである。
【発明を実施するための最良の形態】
【０００５】  以下，本発明を実施するための最良の形態について説明する。
（１）液晶モニタ−付き光学機器の利用者は，液晶モニタ−面を保護するため，液晶モニタ−にシ−ル式フレ−ムを用意する。
（２）このシ−ル式フレ−ムは，液晶モニタ−付き光学機器の利用者が，撮影に際して，被写体の構図の決定並びに水平及び垂直方向の位置の確認を容易にできるようにするために，四辺形のフレ−ムの内周部から外側方向に向かう左右，上下対称の２対の線分（外付け格子線）及び「＋」印や「・」印の交差点表示印を印刷又は刻みこんだ，透明な樹脂製のシ−ル式フレ−ムからなっている。
（３）液晶モニタ−付き光学機器の利用者は，上記のシ−ル式フレ−ムを液晶モニタ−付き光学機器の液晶モニタ−の外周部に予め貼りつけ，必要に応じて使用する。
（４）本考案は，以上のような構造であり，線分（外付け格子線）を設けたシ−ル式フレ−ム付きの光学機器の利用者は，撮影に際して，予め液晶モニタ−の外周部に貼りつけたフレ−ムを使用し，被写体の構図の決定のために左右，上下の線分（外付け格子線）及び液晶モニタ−上の「＋印や「・」印の交差点表示印を利用するとともに，例えば，海等の水平線を確保したいと思えば，フレ−ムの左右の同一位置に設けてある線分（外付け格子線）に被写体の水平線を合わせればよく，また，柱等の垂直線を確保したいと思えば，フレ−ムの上下の同一位置に設けてある線分（外付け格子線）に被写体の垂直線を合わせるようにすればよい。
これらの行動は，フレ−ムの左右，上下対称の位置に線分（外付け格子線）が設けられていることにより，特別に操作しなくても，無意識のうちに，構図の決定並びに水平線，垂直線の確保が，的確に，迅速に，容易に，かつ快適に行われるものと思われる。
【発明の効果】
【０００６】（１）液晶モニタ−付き光学機器を使用する人の立場からすると，撮影する際に，被写体の構図の決定並びに水平，垂直方向の位置の確認が，的確に，迅速に，容易に，かつ快適に行え，シャッタ−チャンスを逃さない。
（２）このような被写体の構図の決定並びに水平，垂直方向の位置確認のための線分（外付け格子線）を設けたシ−ル式フレ−ムの製造は，特別の設計，大規模製造機械の導入等を必要としないため，利用者は安価で購入できる。
（３）液晶モニタ−付き光学機器を製造，販売する側の立場からすると，線分（外付け格子線）を設けたシ−ル式フレ−ムの製造にあたって，特別の設計，大規模製造機械の導入等を必要としないため，消費者に安価で提供できる。
（４）既に発売されている液晶モニタ−内にグリッド表示機能を持つ光学機器についても，線分（外付け格子線）及び交差点表示印を設けることにより，液晶モニタ−内のグリッド表示は不要と思われる。
（５）線分（外付け格子線）の数は，理想とされる黄金分割の考えに基づき，液晶モニタ−の縦横を３分割する２本，あるいは，縦横を４分割する３本が考えられる。
（６）液晶モニタ−付き光学機器の液晶モニタ−のサイズは，１．５インチ位から３．５インチ位までと，さまざまであり，このため，それぞれのサイズに合わせたシ−ル式フレ−ムを用意する必要がある。
【図面の簡単な説明】
【０００７】
【図１】  本発明のシ−ル式フレ−ムの正面図である。
【図２】  本発明のシ−ル式フレ−ムの背面図である。
【符号の説明】
【０００８】      １  液晶モニタ−の枠
２  構図の決定並びに水平方向位置確認のための線分（外付け格子線）
３  構図の決定並びに垂直方向位置確認のための線分（外付け格子線）
４  交差点表示印
５  のりしろ（両面テ−プ）
【図１】
2005275330.tif 000003
【図２】
2005275330.tif 000004